(57)【要約】【課題】  単純であり、経済的であり、非常に少ない部品しか用いず、製造が複雑ではないような、腕時計のための時限ないし季節を表示する機構を提供する。【解決手段】  腕時計（３００）は、時限ないし季節を表示する機構（１０）を有する計時器用ムーブメント（２００）を有する。この機構は、３１日当たり１回転して月の日を表示する第１の車（５）と、別の時限ないし季節を表示する第２の車（６）を有する。第２の車（６）は、第１の車（５）よりも速く回転し、第２の車（６）は、第１の車（５）に対して、３４０日〜３８０日の期間当たり１回転のレートで動く。【選択図】  図１
2018072333.tif 000002
【特許請求の範囲】
【請求項１】
時限ないし季節を表示する機構（１０）であって、
計時器用ムーブメント（２００）と連係し、
時限ないし季節を表示する第１の車（５）と、及び前記第１の車（５）よりも速く回転する第２の車（６）とを有し、
前記第１の車（５）は、月の日を表示するために３１日当たり１回転し、
前記第２の車（６）は、前記第１の車（５）に対して、３４０日〜３８０日の期間当たり１回転のレートで動く
ことを特徴とする時限ないし季節を表示する機構（１０）。
【請求項２】
前記第２の車（６）は、前記第１の車（５）に対して、年又は３７２日当たり１回転動く
ことを特徴とする請求項１に記載の時限ないし季節を表示する機構（１０）。
【請求項３】
前記第２の車（６）は、前記第１の車（５）に対して、前記第１の車（５）の１２回転当たり１回転動く
ことを特徴とする請求項１に記載の時限ないし季節を表示する機構（１０）。
【請求項４】
前記第２の車（６）は、前記第１の車（５）と同軸である
ことを特徴とする請求項１に記載の時限ないし季節を表示する機構（１０）。
【請求項５】
当該機構（１０）は、表示スケール（７０）を備えた表盤（７）を有し、
前記第１の車（５）は、前記表示スケール（７０）と連係する表示又は針（５０）を支えている
ことを特徴とする請求項１に記載の時限ないし季節を表示する機構（１０）。
【請求項６】
前記表示又は針（５０）には、前記第２の車（６）の表面に象徴を描かれた時限ないし季節を表示するためのアパーチャーを提供する開口（５９）があり、
前記第２の車（６）には、すべての連続的な時限又はすべての連続的な季節の表現がある
ことを特徴とする請求項５に記載の時限ないし季節を表示する機構（１０）。
【請求項７】
当該機構（１０）は、前記ムーブメント（２００）によって駆動される駆動車（４０）を有し、これによって、星形車キャッチ（４５）及び／又は星形車ばね（４６）に抗するように、直接又は間接的に毎日１ステップ星形車（４４）を駆動する
ことを特徴とする請求項１に記載の時限ないし季節を表示する機構（１０）。
【請求項８】
前記駆動車（４０）は、第１のキャッチ（４３）に抗するように駆動レバー（４２）を駆動するカム（４１）を駆動し、これによって、前記星形車（４４）を前記ステップ分、回転させる
ことを特徴とする請求項７に記載の時限ないし季節を表示する機構（１０）。
【請求項９】
当該機構（１０）は、第２のキャッチ（４８）に抗するようにユーザーによって操作される変更レバー（４７）を有し、これによって、前記駆動レバー（４２）を回転させて、前記星形車（４４）を１つの前記ステップ分、回転させる
ことを特徴とする請求項８に記載の時限ないし季節を表示する機構（１０）。
【請求項１０】
当該機構（１０）は、前記星形車（４４）によって直接駆動され前記第１の車（５）と噛み合う第１のピニオン（５１）と、及び直接又は摩擦（６２）を通して前記星形車（４４）によって駆動され前記第２の車（６）と噛み合う第２のピニオン（６１）とを有する
ことを特徴とする請求項７に記載の時限ないし季節を表示する機構（１０）。
【請求項１１】
前記第２のピニオン（６１）は、摩擦（６２）を通して前記星形車（４４）によって駆動され、
当該機構（１０）は、押しボタン又は前記ムーブメント（２００）のロッドによって制御される変更用中間車（６０）を有し、
前記変更用中間車（６０）は、前記第２の車と噛み合い、前記摩擦（６２）に抗するように駆動する
ことを特徴とする請求項１０に記載の時限ないし季節を表示する機構（１０）。
【請求項１２】
前記第１のピニオン（５１）、前記第２のピニオン（６１）及び前記星形車（４４）は、同軸である
ことを特徴とする請求項１０に記載の時限ないし季節を表示する機構（１０）。
【請求項１３】
前記星形車（４４）は、１２の歯を有し、
前記ステップは、１つの歯に対応しており、
前記第１のピニオン（５１）には、１２の歯があり、
前記第２のピニオン（６１）には、１３の歯があり、
前記第１の車（５）及び前記第２の車（６）にはそれぞれ、３１の歯がある
ことを特徴とする請求項１０に記載の時限ないし季節を表示する機構（１０）。
【請求項１４】
請求項７に記載の時限ないし季節を表示する機構（１０）を有し、
前記駆動車（４０）を駆動するように又は構成する時間車を有する
ことを特徴とする計時器用ムーブメント（２００）。
【請求項１５】
請求項１１に記載の時限ないし季節を表示する機構（１０）を有し、
巻き込みと変更のためのロッド（２１０）を有し、
前記ロッド（２１０）は、前記変更用中間車（６０）に作用する中間車の列によって時限ないし季節の変更を制御する
ことを特徴とする請求項１４に記載の計時器用ムーブメント（２００）。
【請求項１６】
請求項８に記載の時限ないし季節を表示する機構（１０）を有し、
押しボタン（２２０）を有し、
前記押しボタン（２２０）は、前記変更レバー（４７）を押すことによって前記第１の車（５）の位置の変更を制御する
ことを特徴とする請求項１４に記載の計時器用ムーブメント（２００）。
【請求項１７】
請求項１４に記載の計時器用ムーブメント（２００）を有する
ことを特徴とする腕時計（３００）。
【発明の詳細な説明】
【技術分野】
【０００１】
本発明は、時限ないし季節を表示する機構であって、計時器用ムーブメントと連係し、時限ないし季節を表示する第１の車と別の時限ないし季節を表示する第２の車を有するものに関する。
【０００２】
本発明は、さらに、前記のような時限ないし季節を表示する機構を有する計時器用ムーブメントに関する。
【０００３】
本発明は、さらに、前記のようなムーブメントを有する腕時計に関する。
【０００４】
本発明は、腕時計用表示機構の分野に関し、特に、複雑な機械式腕時計のためのものに関する。
【背景技術】
【０００５】
暦の表示や天文学的な表示は、計時器に関わる機能であるが、ムーブメントの製造を複雑にし、ケース内にて大きい体積を占有してしまう。このような表示を変更することは、必ずしも単純ではない。
【発明の概要】
【発明が解決しようとする課題】
【０００６】
本発明は、単純であり、経済的であり、非常に少ない部品しか用いず、製造が複雑ではないような、腕時計のための時限ないし季節を表示する機構を作ることを提案するものである。
【課題を解決するための手段】
【０００７】
このために、本発明は、請求項１に記載の時限ないし季節を表示する機構に関する。
【０００８】
本発明は、さらに、前記のような時限ないし季節を表示する機構を有する計時器用ムーブメントに関する。
【０００９】
本発明は、さらに、前記のようなムーブメントを有する腕時計に関する。
【００１０】
添付の図面を参照しながら下記の詳細な説明を読むことで、本発明の他の特徴及び利点を理解することができるであろう。
【図面の簡単な説明】
【００１１】
【図１】重なり合っており回転速度が異なる２つの同軸の車を有する本発明に係る時限ないし季節を表示する機構を示す概略平面図である。これらの２つの同軸の車は、針のシャフトを支える下側の第１の車と、前記針が上にマウントされる上側の第２の車である。前記針は、下側の第１の車とともに回転し、前記針には、上側の第２の車の表面の限定された領域を表示するための開口がある。下側の第１の車及び上側の第２の車はそれぞれ、下側の第１のピニオン及び上側の第２のピニオンと連係し、下側の第１の車は、直接駆動され、上側の第２の車は、摩擦を通して星形車によって間接的に駆動される。星形車の回転は、入力駆動車からカムと駆動レバーを介して制御される。この駆動レバーの位置は、変更レバーに作用することによって変更することができる。上側の第２の車は、再び、変更用中間車と接線方向にて連係する。
【図２】駆動車の軸である第１の軸、カムの駆動ピン、星形車、下側の第１のピニオン及び上側の第２のピニオンと共通の軸である第２の軸、下側の第１の車及び上側の第２の車に共通の軸である第３の軸、そして、変更用中間車の軸である第４の軸を通る破線に沿って図１の機構を示す断面図である。
【図３】上側の第２の車の上側面を見えるようにするアパーチャがある表盤によってカバーされる図１及び２の機構を有するムーブメントを示す概略平面図である。この上側面には、ここでは４つの季節である時限の一連のグラフィック表現がある。この表盤には、ここでは月の日の表示である表示スケールがあり、この表示と、下側の第１の車によって担持される針の端が連係し、この針の大きな開口によって、季節を示す瞬間的な配置を表示する。
【図４】時限ないし季節を表示する前記のような機構を備えた前記のような計時器用ムーブメントを有する腕時計についての概略平面図である。
【発明を実施するための形態】
【００１２】
本発明は、腕時計のための単純であり経済的な時限ないし季節を表示する機構に関する。
【００１３】
ここで、時限とは、毎年のサイクルに属する１年間未満の期間をいう。例えば、１か月、２か月、３か月、４か月、６か月などである。
【００１４】
具体的には、季節の表示の場合に基づいて本発明を図示し説明する。ただし、これに限定されない。
【００１５】
本発明は、計時器用ムーブメント２００と連係する時限ないし季節を表示する機構１０に関し、これは、標準的には、時間車などのムーブメント２００の車と連係する入力駆動車４０を有する。
【００１６】
この時限ないし季節を表示する機構１０は、図における下側の車である第１の車５を有する。特に、この第１の車５は、月の日を表示するために３１日当たり１回転する。ただし、これに限定されない。
【００１７】
当該機構１０は、図における上側の車である別の時限ないし季節を表示する第２の車６を有する。
【００１８】
本発明によると、第２の車６は、時限ないし季節を表示する第１の車５よりも速く回転する。また、この第２の車６は、第１の車５に対しては、３４０日〜３８０日の期間当たり１回転のレートで動く。具体的には、第２の車６は、第１の車５に対して、１年当たり１回転、３７２日当たり１回転、又は選択された機構や所望の表示に応じた別の期間当たり１回転のレートで動く。例えば、太陰月を表示する腕時計は、３４８〜３７７日の期間当たり１回転のレートで動く第２の車６を有することができる。この３４８日と３７７日はそれぞれ、１２と１３の太陰月に対応する。
【００１９】
第１の車５によって月の日の表示が可能になり、第２の車６によって現在の年の中心における位置の配置、特に、季節に対する配置、を可能にするような有利なアプリケーションに基づいて本発明を示している。
【００２０】
具体的には、下記の車ワークの特定の構成によって、第２の車６は、第１の車５に対して、第１の車５の１２回転当たり１回転するように動く。
【００２１】
具体的には、図示するように、第２の車６は、第１の車５と同軸である。
【００２２】
当該機構１０は、表示スケール７０を備えた表盤７を有し、第１の車５は、前記表示スケール７０と連係する表示又は針５０を支える。図示した変形態様において、表盤７には、第２の車６の上側面を見えるようにするアパーチャー７１がある。
【００２３】
好ましいことに、この表示又は針５０には、第２の車６の表面に象徴を描かれた時限ないし季節を表示するアパーチャーを提供する開口５９がある。この第２の車６の表面には、すべての連続的な時限ないし季節の表現がある。
【００２４】
本発明に係る運動系は、非常に単純であり、部品の数が非常に少なく、全体の厚みが小さい。なぜなら、当該機構１０が２つのレベルしか占めないからである。
【００２５】
入力駆動車４０は、ムーブメント２００によって駆動され、あるいはこのムーブメントの一部であることができ、星形車キャッチ４５及び／又は星形車ばね４６に抗するように毎日１ステップずつ星形車４４を直接又は間接的に駆動する。
【００２６】
図示した変形態様（これに制限されない）において、月の日を表示する機構の既存の部品を用いて、駆動車４０は、第１のキャッチ４３に抗するように駆動レバー４２を駆動するカム４１を駆動する。これによって、１ステップの値の分、星形車４４を回転させる。
【００２７】
本発明に係る機構１０は、第１の車５のレベル及び第２の車６のレベルの両方にて容易に変更することができる。
【００２８】
第１の車５の位置を変更するために、特に、月の日の月末の変更のために、当該機構１０は、好ましいことに、第２のキャッチ４８に抗するように、ユーザーによって操作される変更レバー４７を有する。この操作によって、駆動レバー４２を回転させて、星形車４４を１ステップ回転させる。
【００２９】
当該機構１０は、星形車４４によって直接駆動され第１の車５と噛み合う第１のピニオン５１を有し、また、第２のピニオン６１を有し、この第２のピニオン６１は、星形車４４によって駆動され、又は図示していない変形態様においては直接駆動され、又は図示するように摩擦６２によって駆動され、この第２のピニオン６１は、第２の車６と噛み合う。図２において、星形車４４のシャフト部分に入れ込まれたワッシャー４９は、その星形車４４の支持を摩擦６２によって維持する。
【００３０】
図示したこの好ましい変形態様において、第２のピニオン６１は、摩擦６２によって星形車４４によって駆動され、当該機構１０は、押しボタン又はムーブメント２００のロッドによって制御される変更用中間車６０を有する。この変更用中間車６０は、恒久的に又は変更運動時に第２の車６と噛み合い、摩擦６２に抗するようにこの第２の車６を駆動する。したがって、このような第２の車６の変更は、達成することが非常に容易である。
【００３１】
具体的には、図示する変形態様において、第１のピニオン５１、第２のピニオン６１及び星形車４４は、同軸である。
【００３２】
具体的には、図示する変形態様において、星形車４４には、１２の歯があり、各動作時に前進する１ステップは、１つの歯に対応しており、第１のピニオン５１には、１２の歯があり、第２のピニオン６１には、１３の歯があり、第１の車５及び第２の車６にはそれぞれ、３１の歯がある。したがって、第１の車５及び第２の車６は、正確に３７２日当たり１回転動く。
【００３３】
当該機構１０のアセンブリーは、プレート３０又は付加的なブリッジにマウントすることが容易である。
【００３４】
本発明は、さらに、前記時限ないし季節を表示する機構１０を有し駆動車４０を駆動し又は構成する時間車を有する計時器用ムーブメント２００に関する。
【００３５】
具体的には、このムーブメント２００は、巻き上げと変更のためのロッド２１０を有し、このロッド２１０は、変更用中間車６０に作用する中間車の列によって、時限ないし季節の変更を制御する。
【００３６】
具体的には、このムーブメント２００は、変更レバー４７を押すことによって第１の車５の位置の変更を制御する押しボタン２２０を有する。
【００３７】
本発明は、さらに、前記のような計時器用ムーブメント２００を有する腕時計３００に関する。
【符号の説明】
【００３８】
５  第１の車
６  第２の車
７  表盤
１０  時限ないし季節を表示する機構
４０  駆動車
４１  カム
４２  駆動レバー
４３  第１のキャッチ
４４  星形車
４５  星形車キャッチ
４６  星形車ばね
４７  変更レバー
４８  第２のキャッチ
５０  針
５１  第１のピニオン
５９  開口
６０  変更用中間車
６１  第２のピニオン
６２  摩擦
７０  表示スケール
２００  ムーブメント
２１０  ロッド
２２０  押しボタン
３００  腕時計
【図１】
2018072333.tif 000003
【図２】
2018072333.tif 000004
【図３】
2018072333.tif 000005
【図４】
2018072333.tif 000006